(57)【要約】  固定金具７は、上下にそれぞれ上側突起把持部１５ａおよび下側突起把持部１５ｂが略平行に形成され、上側突起把持部１５ａと下側突起把持部１５ｂとを連結するように、連結部１７が形成される。上側突起把持部１５ａの略中央部には切欠き２３が形成される。切欠き２３は、ボルトが貫通する部位である。下側突起把持部１５ｂの下面には、ナット部１９が接合される。ナット部１９は下側突起把持部１５ｂに対し、例えば溶接により固定されている。下側突起把持部１５ｂとナット部１９の接合部には孔が形成されており、ナット部１９は、切欠き２３側から挿入されるボルトと螺合可能である。
2011104863.tif 000002
【特許請求の範囲】
【請求項１】
底部と、前記底部の両側部に設けられた側壁部とを有するトラフと、前記トラフの上部開口に被せられる蓋との固定金具を用いた固定構造であって、
前記トラフの上端近傍の前記側壁部の外方には、両側方に突起部が形成され、
前記固定金具は、前記突起部を上下から把持するための上下の突起把持部と、上下の前記突起把持部を連結する連結部とを有し、
前記突起把持部には、少なくとも一部にナット部が固定されており、
前記固定金具の上側または下側の前記突起把持部の少なくともいずれかの内面には、内面側に突出する位置決め突起が形成されており、
前記トラフの突起部には、前記固定金具の前記位置決め突起に対応する位置に溝が設けられ、
前記溝に前記位置決め突起が挿入され、上下の前記突起把持部により前記突起部を把持するように両側方からトラフに固定金具が取り付けられ、
前記蓋を閉じた状態で、前記蓋の上方から前記蓋を貫通してボルトが設けられ、前記ボルトを前記ナット部へ固定することにより前記蓋が前記トラフに固定されることを特徴とするトラフと蓋との固定構造。
【請求項２】
前記ナット部は、少なくとも下側の前記突起把持部の下面側または上側の前記突起把持部の上面側のいずれかに設けられることを特徴とする請求項１記載のトラフと蓋との固定構造。
【請求項３】
前記ナット部は、下側の前記突起把持部または上側の前記突起把持部に形成された雌ねじ部であることを特徴とする請求項２記載のトラフと蓋との固定構造。
【請求項４】
前記ナット部は板部材に接合されており、前記ナット部が接合された前記板部材がボルトによって上側の前記突起把持部に取り付けられることを特徴とする請求項１記載のトラフと蓋との固定構造。
【請求項５】
前記ナット部は、さらに、下側の前記突起把持部の下面側に設けられることを特徴とする請求項４記載のトラフと蓋との固定構造。
【請求項６】
前記連結部には前記蓋部を外方から係止可能なフックが形成されることを特徴とする請求項１から請求項５のいずれかに記載のトラフと蓋との固定構造。
【請求項７】
底部と、前記底部の両側部に設けられた側壁部とを有するトラフと、前記トラフの上部開口に被せられる蓋との固定金具を用いた固定方法であって、
前記トラフの上端近傍の前記側壁部の外方には、両側方に突起部が形成され、
前記固定金具は、前記突起部を上下から把持するための上下の突起把持部と、上下の前記突起把持部を連結する連結部と、前記突起把持部の少なくとも一部に設けられたナット部とを有し、
前記固定金具の上側または下側の前記突起把持部の少なくともいずれかの内面には、内面側に突出する位置決め突起が形成されており、前記トラフの突起部の、前記位置決め突起に対応する部位には、前記固定金具の取り付け方向に溝が形成されており、
前記突起部の両側方から、固定金具を前記位置決め突起を前記溝に沿って挿入して前記固定金具をトラフの前記突起部へ取り付け、
前記蓋を閉じた状態で、前記蓋の上方から前記蓋を貫通するボルトを設け、前記ボルトを前記ナット部へ固定することにより前記蓋を前記トラフに固定することを特徴とするトラフと蓋との固定方法。
【請求項８】
前記ナット部は、少なくとも下側の前記突起把持部の下面側または上側の前記突起把持部の上面側に設けられていることを特徴とする請求項７記載のトラフと蓋との固定方法。
【発明の詳細な説明】
【技術分野】
【０００１】
本発明は、内部にケーブル等を収納して、線路や道路脇等に配設されるトラフとトラフ上部に設けられる蓋とを固定する固定構造等に関するものである。
【背景技術】
【０００２】
従来、内部に各種のケーブルが収納され、長距離に渡って施設される樹脂製のトラフが使用されている。この際、トラフの上部には蓋が設けられ、蓋はトラフに固定される。【０００３】
このようなトラフと蓋との固定方法としては、例えば、トラフの両側方に、フックを有するクリップを設け、当該フックをクリップとの接合部を基点に回動させて蓋の両側方から係合させ、蓋を固定するトラフ固定用クリップがある（特許文献１）。【０００４】
また、天板部と側板部とを有し、天板部で蓋を押さえた状態で、側板部をトラフの側壁部に係止することで蓋をトラフに固定することが可能なトラフ用蓋固定部材がある（特許文献２）。【０００５】
また、トラフの側壁部の上端に、隙間を介して相対する一対の弾性狭着片を備えた受け金具が取り付けられ、蓋を貫通する蓋押さえピンの括れ部を弾性狭着片に狭着することで蓋をトラフ本体に固定するトラフの蓋固定構造がある（特許文献３）。【０００６】
また、トラフ側壁の上部に、あらかじめナットを一体成型しておき、蓋を貫通するボルトをナットに螺合させることで、蓋をトラフに固定する方法など種々の方法が提案されている。
【先行技術文献】
【特許文献】
【０００７】
【特許文献１】特開２００５−９４９５８号公報
【特許文献２】特開２００６−１７５４６２号公報
【特許文献３】特開２００８−１９９７５６号公報
【発明の概要】
【発明が解決しようとする課題】
【０００８】
一方、このようなトラフは、地表に埋設される場合がある。たとえば、蓋を閉めた状態のトラフ上面が周囲の地面高さと略一致するように、トラフ等の周囲にコンクリートが打設される場合がある。この場合、トラフの側壁および蓋の側部の外周面が、打設されるコンクリートと略接触した状態となり、トラフの外面にはコンクリートとの隙間がほとんど形成されない。【０００９】
このような使用状態では、特許文献１、特許文献２のいずれの方法も採用することができない。すなわち、特許文献１および特許文献２のいずれの方法も、蓋を固定するための構造が、トラフの側方に隙間がある場合にしか蓋の開閉を行うことができないものである。たとえば、周囲にコンクリートが打設されると、特許文献１記載のクリップは、フックを回転させることができなくなる。また、特許文献２のトラフ用蓋固定部材は、側板部をトラフの側壁部外面に挿入することができなくなる。また、特許文献１、特許文献２に記載の固定方法を用いる場合は、トラフの周囲をコンクリートで打設せずに、砂や砂利等で埋める場合もあるが、この場合もほぼ同様の状況になる。【００１０】
また、特許文献３記載の方法では、蓋の上方から蓋を固定することができるが、蓋を固定するための固定強度が低いという問題がある。弾性狭持体の弾性変形代分でピンを挟み込んでいるのみであるため、たとえば、強い力が加わると、容易に蓋がトラフから外れてしまう恐れがある。【００１１】
また、トラフに一体埋設されたナットを用いて、蓋をボルト固定する方法は、トラフ製造時にナットを金型内にセットして一体成型するため、トラフの生産性が悪い。また、この方法では、ボルトを強く締めすぎると、ナットが樹脂内部で回転してしまい、さらには、ナットによってトラフ側壁を破損する恐れがある。通常、ナットには、回転止めのローレット等が施されるが、樹脂によるナットの固定はそれほど強くないため、ボルトによる締め付けが多少でも強いと、樹脂が変形し、ナットが樹脂に対して滑るため、締め付けが効かずにボルトが抜けたり、ボルトが緩む場合もある。このような状態となると、もはやトラフ本体ごと交換する必要がある。【００１２】
このように、従来のいずれのトラフと蓋との固定方法でも、周囲にコンクリートが打設されてトラフ外周に隙間がない場所でも使用でき、作業性に優れ、破損等が生じにくく、かつ、蓋の固定強度が高いという全ての要求を満たすものではない。【００１３】
本発明は、このような問題に鑑みてなされたもので、周囲に隙間がなくても使用することができ、トラフと蓋との固定強度が極めて高く、作業性に優れ、トラフの破損等が生じにくいトラフと蓋との固定構造等を提供することを目的とする。
【課題を解決するための手段】
【００１４】
前述した目的を達するために第１の発明は、底部と、前記底部の両側部に設けられた側壁部とを有するトラフと、前記トラフの上部開口に被せられる蓋との固定金具を用いた固定構造であって、前記トラフの上端近傍の前記側壁部の外方には、両側方に突起部が形成され、前記固定金具は、前記突起部を上下から把持するための上下の突起把持部と、上下の前記突起把持部を連結する連結部とを有し、前記突起把持部には、少なくとも一部にナット部が固定されており、前記固定金具の上側または下側の前記突起把持部の少なくともいずれかの内面には、内面側に突出する位置決め突起が形成されており、前記トラフの突起部には、前記固定金具の前記位置決め突起に対応する位置に溝が設けられ、前記溝に前記位置決め突起が挿入され、上下の前記突起把持部により前記突起部を把持するように両側方からトラフに固定金具が取り付けられ、前記蓋を閉じた状態で、前記蓋の上方から前記蓋を貫通してボルトが設けられ、前記ボルトを前記ナット部へ固定することにより前記蓋が前記トラフに固定されることを特徴とするトラフと蓋との固定構造である。【００１５】
前記ナット部は、少なくとも下側の前記突起把持部の下面側または上側の前記突起把持部の上面側に設けられてもよく、前記ナット部は、下側の前記突起把持部または上側の前記突起把持部に形成された雌ねじ部であってもよい。【００１６】
前記ナット部は板部材に接合されており、前記ナット部が接合された前記板部材がボルトによって上側の前記突起把持部に取り付けられてもよく、前記ナット部は、さらに、下側の前記突起把持部の下面側に設けられてもよい。【００１７】
前記連結部には前記蓋部を外方から係止可能なフックが形成されてもよい。【００１８】
第１の発明によれば、トラフの周囲に隙間がなくとも、トラフ上方のみから固定作業を行うことができる。また、ナット部が突起把持部に固定されているため、ボルトをナット部に締めこんでも、ナット部が回転したりトラフ側壁部を破損したりすることがない。特に、ナット部が下側の突起把持部の下面側に設けられれば、ボルトを締めこんだ際に、下側の突起把持部が確実にトラフ側壁の突起部を把持し、蓋が確実に固定される。すなわち、トラフと蓋との固定強度も高い。【００１９】
また、上側の突起把持部に雌ネジ部を設けておけば、ナット部に万一問題が生じた場合でも、上方から容易にナット部の交換が可能である。【００２０】
また、蓋を係止可能なフックがさらに設けられれば、トラフ外周にわずかな隙間があれば、ボルト及びフックにより蓋を係止することができ、より確実にトラフと蓋とを固定することができる。【００２１】
第２の発明は、底部と、前記底部の両側部に設けられた側壁部とを有するトラフと、前記トラフの上部開口に被せられる蓋との固定金具を用いた固定方法であって、前記トラフの上端近傍の前記側壁部の外方には、両側方に突起部が形成され、前記固定金具は、前記突起部を上下から把持するための上下の突起把持部と、上下の前記突起把持部を連結する連結部と、前記突起把持部の少なくとも一部に設けられたナット部とを有し、前記固定金具の上側および／または下側の前記突起把持部の少なくともいずれかの内面には、内面側に突出する位置決め突起が形成されており、前記トラフの突起部の、前記位置決め突起に対応する部位には、前記固定金具の取り付け方向に溝が形成されており、前記突起部の両側方から、トラフに固定金具を前記位置決め突起を前記溝に沿って挿入して前記固定金具を前記突起部へ取り付け、前記蓋を閉じた状態で、前記蓋の上方から前記蓋を貫通するボルトを設け、前記ボルトを前記ナット部へ固定することにより前記蓋を前記トラフに固定することを特徴とするトラフと蓋との固定方法である。前記ナット部は、少なくとも下側の前記突起把持部の下面側または上側の前記突起把持部の上面側に設けられていてもよい。【００２２】
第２の発明によれば、トラフの上方のみからトラフと蓋との固定作業を行うことができ、作業性に優れ、極めて高いトラフと蓋との固定強度を得ることができる。
【発明の効果】
【００２３】
本発明によれば、周囲にコンクリートが打設されても使用でき、トラフと蓋との固定強度が極めて高く、作業性に優れ、トラフ破損等が生じにくいトラフと蓋との固定構造等を提供することができる。
【図面の簡単な説明】
【００２４】
【図１】本発明に係るトラフと蓋との固定構造１を示す分解斜視図。
【図２】本発明に係るトラフと蓋との固定構造１を示す組み立て斜視図。
【図３】（Ａ）は固定金具７の上方斜視図、（Ｂ）は固定金具７の下方斜視図。
【図４】（Ａ）は固定金具７の平面図、（Ｂ）は（Ａ）のＣ−Ｃ線断面図、（Ｃ）は（Ａ）のＤ−Ｄ線断面図。
【図５】固定金具７の取り付け方法を示す図。
【図６】トラフと蓋との固定構造１を示す図であり、図２のＡ−Ａ線断面図。
【図７】トラフと蓋との固定構造１を示す図であり、図２のＢ−Ｂ線断面図。
【図８】（Ａ）は固定金具３０の分解斜視図、（Ｂ）は固定金具３０の組立斜視図。
【図９】トラフと蓋との固定構造１ａを示す図
【図１０】トラフと蓋との固定構造１ｂを示す図
【図１１】固定金具４０の斜視図。
【図１２】（Ａ）は固定金具７ａの平面図、（Ｂ）は（Ａ）のＦ−Ｆ線断面図。
【図１３】（Ａ）は固定金具７ｂの平面図、（Ｂ）は（Ａ）のＧ−Ｇ線断面図。
【図１４】（Ａ）は固定金具７ｃの平面図、（Ｂ）は（Ａ）のＨ−Ｈ線断面図。
【図１５】（Ａ）は固定金具７ｄの平面図、（Ｂ）は（Ａ）のＩ−Ｉ線断面図。
【図１６】ボルトの頭部形状の実施形態を示す図。
【発明を実施するための形態】
【００２５】
以下、図面を参照しながら、本発明の実施形態について説明する。図１は、本発明にかかるトラフと蓋との固定構造１を示す分解斜視図であり、図２は、本発明にかかるトラフと蓋との固定構造１を示す組み立て斜視図である。
【００２６】
トラフと蓋との固定構造１は、主に、トラフ３、蓋５、固定金具７等から構成される。トラフ３は、底部３ａと、底部３ａの両側方に設けられ底部３ａと略垂直な側壁部３ｂ等から構成される略Ｕ字状断面の部材である。なお、トラフ３のサイズは敷設される場所やケーブル等により適宜選択できる。また、トラフ３の材質としては、ある程度の強度と耐久性があれば特定しないが、コスト及び軽量化などの施工性を考慮すると樹脂製が望ましく、廃プラスチック及び難燃材からなる再生プラスチック等が使用できる。なお、トラフ３の形状は図１の例に限られない。
【００２７】
トラフ３の上方の開口部には蓋５が設けられる。蓋５は、底部３ａ、側壁部３ｂで囲まれる部位にケーブル等が敷設された後、トラフ３の開口を塞ぐようにトラフ上部に取り付けられて固定される。
【００２８】
側壁部３ｂの上方（トラフ３の上端近傍）には、側壁部３ｂの外面から両外方に向けて突起部１１が形成される。突起部１１は、後述する固定金具７が取り付けられる部位である。突起部１１は、トラフ３の両側方に対して形成された突起であり、蓋を固定するのに必要な強度を有する。突起部１１の詳細については後述する。また、トラフの側壁部３ｂには、トラフ底部３ａに垂直な方向に補強リブ５０が設けられても良い。図１は補強リブ５０を設けた場合の例である。
【００２９】
蓋５には、ボルト孔１３が設けられる。ボルト孔１３は、蓋５をトラフ３に取り付けた際に、固定金具７（突起部１１）に対応する位置に設けられる。
【００３０】
トラフ３と蓋５との固定方法は、まず、トラフ３の突起部１１に固定金具７を両側方からスライド挿入し、固定金具７を突起部１１に固定する。次いで、蓋５をトラフ３に被せ、ボルト孔１３よりボルト９を挿入する。ボルト９は、固定金具７と固定され、蓋５がトラフ３に固定される。
【００３１】
次に、固定金具７について説明する。図３（Ａ）は、固定金具７の上方斜視図であり、図３（Ｂ）は、固定金具７の下方斜視図である。また、図４（Ａ）は、固定金具７の平面図であり、図４（Ｂ）は図４（Ａ）のＣ−Ｃ線断面図、図４（Ｃ）は図４（Ａ）のＤ−Ｄ線断面図である。
【００３２】
固定金具７は、上下にそれぞれ上側突起把持部１５ａおよび下側突起把持部１５ｂが略平行に形成され、上側突起把持部１５ａと下側突起把持部１５ｂとを連結するように、連結部１７が形成される。すなわち、固定金具７は、１方向に開口する略コの字状断面である。なお、上側突起把持部１５ａと下側突起把持部１５ｂの先端部（連結部１７とは反対側）は、わずかに互いの距離が連結部の長さより近くなるように形成することで、連結部等の弾性変形によって、突起部１１に対する把持力を得ることができる。
【００３３】
上側突起把持部１５ａの略中央部には切欠き２３が形成される。切欠き２３は、ボルトが貫通する部位である。なお、切欠き２３は、図示したように上側突起把持部１５ａの中央部全体に矩形に形成されていてもよく、または、ボルトが貫通できれば、Ｕ溝や貫通孔であってもよい。
【００３４】
下側突起把持部１５ｂの下面（図３（Ｂ）では上側）には、ナット部１９が接合される。ナット部１９は、図示したような袋ナットであることが望ましい。ナット部１９は下側突起把持部１５ｂに対し、例えば溶接により固定されている。図４（Ａ）に示すように、下側突起把持部１５ｂとナット部１９の接合部にはボルトが挿通可能な孔が形成されており、ナット部１９は、切欠き２３側から挿入されるボルトと螺合可能である。
【００３５】
上側突起把持部１５ａおよび下側突起把持部１５ｂそれぞれには、位置決め突起２１が形成される。位置決め突起２１は、トラフ３（突起部１１）へ固定金具を取り付ける際に、トラフ３の軸方向に対する固定金具７の位置を決めるものである。
【００３６】
図４（Ｂ）に示すように、位置決め突起２１は、上側突起把持部１５ａおよび下側突起把持部１５ｂそれぞれの内面方向に突出するように一部が内面側に折曲げられて形成される。なお、位置決め突起２１は、図示したように、内方に折曲げて形成されることで、位置決め効果とともに、位置決め突起２１の弾性変形により、固定金具７の突起部１１への把持力を高めることができる。
【００３７】
なお、位置決め突起２１の形状および配置は、図４等に示した例に限られない。上下の突起把持部の内面に突出する突起であれば、どのような形状でも良く、また、上側突起把持部１５ａと下側突起把持部１５ｂのいずれか一方のみに形成してもよい。
【００３８】
固定金具７としては、多少の弾性変形が可能であり、耐食性および強度に優れ、加工が容易であるものが望ましく、例えばステンレス製、Ｎｉメッキが施された黄銅等が使用できる。なお、ナット部１９とその他の部位は同一材質であってもよく、または異種材質であってもよい。また、固定金具７は、設置されるトラフの形状にもよるが、例えば０．８ｍｍ以上の厚みの板よりプレス成形される。また、突起部への挿入性の観点からは、２．５ｍｍ以下が望ましい。連結部１７高さ（上側突起把持部１５ａと下側突起把持部１５ｂとの距離）は１０ｍｍ〜４０ｍｍ程度である。ここで、連結部の高さは、突起部の高さと略同一であるため、突起部の強度を考慮すると、１０ｍｍ以上が望ましいが、上限は、４０ｍｍ程度でよい。上限値には、特に積極的に制限する理由はないが、厚くなると樹脂材料だけでなく、固定金具も大きくなるので、固定金具の材料も無駄になる。連結部の高さとしては、１５ｍｍから２５ｍｍが望ましい。
【００３９】
次に、固定金具７の突起部１１への取付方法について説明する。図５は、突起部１１に対する固定金具７の取付方法を示す平面図である。突起部１１は、固定金具７と略同一またはやや大きい幅で形成されており、固定金具７が挿入可能な厚みである。突起部１１の略中央には、ボルト貫通部２５が形成される。ボルト貫通部２５は、挿入されるボルトよりもやや幅の大きい切欠き部である。なお、ボルト貫通部２５の形状は図の例には限られず、貫通孔であってもよい。
【００４０】
突起部１１のボルト貫通部２５の両側方には、溝（窪み）２７が形成される。溝（窪み）２７の設置位置は、固定金具７の位置決め突起２１の位置と対応する。このように、本実施形態の固定金具７では、上側突起把持部１５ａおよび下側突起把持部１５ｂの先端部の弾性把持力のみでなく、位置決め突起２１の弾性把持力によっても突起部が把持されることになる。
【００４１】
まず、図５（Ａ）に示すように、ナット部１９を下側（切欠き２３を上側）にして、トラフ３の側方から、突起部１１に固定金具７を挿入する（図中矢印Ｅ方向）。この際、位置決め突起２１が溝（窪み）２７に嵌るようにして固定金具７を突起部１１に被せる。
【００４２】
図５（Ｂ）は、固定金具７を突起部１１へ被せる途中の状態を示す図である。固定金具７を突起部１１に挿入すると、位置決め突起２１が溝（窪み）２７に嵌り込むため、固定金具７は、突起部１１に対して（トラフ３の軸方向に対して）確実に固定位置が決定される。なお、固定金具７を突起部１１に取り付けると、連結部１７、上側突起把持部１５ａおよび下側突起把持部１５ｂの弾性変形により、固定金具７が突起部１１に確実に固定される。
【００４３】
また、固定金具７を突起部１１に完全に挿入すると、突起部１１のボルト貫通部２５と、固定金具７の切欠き２３およびナット部１９は、鉛直方向に略一直線上に並ぶ。
【００４４】
図６は、固定金具７を用いて、トラフ３と蓋５とを固定した状態を示す図であり、図２のＡ−Ａ線断面図である。前述の通り、固定金具７の位置決め突起２１が突起部１１の溝（窪み）２７に嵌る。この状態で、蓋５のボルト孔１３、突起部１１のボルト貫通部２５、固定金具７の切欠き２３およびナット部１９が鉛直方向に略一直線上に並ぶ。
【００４５】
ボルト９は、ボルト孔１３上方から挿入され、蓋５、突起部１１を貫通し、固定金具７の下方（下側突起把持部１５ｂの下面）のナット部１９と螺合する。また、図６に示すように、ボルトの頭部が、蓋上面より上に突出しないように、ボルト孔に、一段下がった係止部を設けることが好ましい。なお、図示したように、固定金具７を突起部１１に取り付けた状態において、トラフ３の上面（蓋５の下面）と、固定金具７の上面が略一致することが望ましい。
【００４６】
同様に、図７は、固定金具７を用いて、トラフ３と蓋５とを固定した状態を示す図であり、図２のＢ−Ｂ線断面図である。図７において、トラフ３および蓋５の外方（図中左側）には、例えばコンクリート２９が打設される。すなわち、トラフ３は地表に埋設され、トラフ３の周囲には、従来の金具等が挿入可能な隙間が形成されない。このような状態であっても、ボルト９により、蓋５を開閉することが可能である。
【００４７】
第１の実施の形態にかかるトラフと蓋との固定構造１によれば、周囲にコンクリートが打設された場合（またはトラフを併設した場合）など、トラフの側方に隙間がないような部位においても、容易にトラフ３に蓋５を固定することができる。また、ナット部１９は下側突起把持部１５ｂに溶接等により固定されているため、ボルト９を強く締めてもナット部１９が回転したり抜けたりすることがない。
【００４８】
また、トラフ３と蓋５との固定は、ボルト９およびナット部１９により行われるため、極めて高い固定強度を得ることができる。また、ナット部１９に袋ナットを用いれば、固定金具７を取り付けたトラフ３の設置後に、周囲にコンクリート２９を打設しても、ナット部１９にコンクリートが浸入することがない。
【００４９】
次に、第２の実施の形態にかかる固定金具３０について説明する。図８（Ａ）は、固定金具３０を示す分解斜視図であり、図８（Ｂ）は固定金具３０を示す組み立て斜視図である。なお、以下の実施の形態において、固定金具７と同様の機能を奏する構成については、図３等と同一の符号を付し、重複した説明を省略する。
【００５０】
固定金具３０は、ナット部３５が固定された板部材３３が上側突起把持部１５ａに固定される点で固定金具７と異なる。板部材３３は、板状であり、中央にナット部３５が溶接等により固定される。ナット部３５は上方からボルトが螺合可能である。
【００５１】
板部材３３のナット部３５の両側方には、ボルト孔３７が設けられる、ボルト孔３７はボルト３９が貫通する部位である。上側突起把持部１５ａには、ボルト孔３７と対応する部位に雌ねじ部３１が形成される。雌ねじ部３１は、ボルト３９と螺合可能である。
【００５２】
図８（Ｂ）に示すように、板部材３３は、上側突起把持部１５ａ上に、ボルト３９により固定される。なお、ナット部３５は、板部材３３の下面に設けてもよく、この場合には、板部材３３のナット部３５に対応する部位に孔を設ける必要がある。
【００５３】
図９は、固定金具３０を用いて、蓋５とトラフ３とを固定した状態を示す、図６に対応した断面図である。固定金具３０の上方には、ボルト３９によって板部材３３が取り付けられる。ボルト３９は上側突起把持部１５ａに形成された雌ねじ部３１に固定される。蓋５のボルト孔１３に挿入されたボルト９は、蓋５を貫通してナット部３５に螺合し、固定される。
【００５４】
この際、ナット部３５およびボルト３９の頭部が蓋５の下面と干渉しないように、突起部１１は、トラフ上面に対して、少なくともナット部３５等の厚み分だけ低い位置に形成される。すなわち、ナット部３５およびボルト３９に対応する高さだけ、トラフ３上面に対し、突起部１１の形成位置（突起部上面）が下げられる。
【００５５】
なお、ボルト９が上側突起把持部１５ａを貫通可能なように、上側突起把持部１５ａにボルトの貫通孔を形成すれば、ボルト９の先端が上側突起把持部１５ａと干渉することがない。また、本実施形態においては、ボルト貫通部２５は必ずしも必要ではなく、ボルト９先端との干渉を避けるための単なる凹部としてもよく、完全に省略することもできる。
【００５６】
また、ボルト３９の先端と突起部１１との干渉を避けるため、突起部１１の上面における、ボルト３９に対応する位置に、凹部３２を形成することが望ましい。
【００５７】
図１０は、固定金具３０を用いて、蓋５とトラフ３とを固定した、他の実施形態にかかる断面図である。図１０に示すように、ナット部３５およびボルト３９に対応する高さだけ、蓋５の裏面に、ナット部３５およびボルト３９との干渉をさける凹部３４を形成してもよい。凹部３４によっても蓋５の下面とナット部３５およびボルト３９の頭部が接触することを防止することができる。
【００５８】
なお、雌ねじ部３１を下側突起把持部１５ｂに形成し、ボルト３９の首下を連結部１７程度の長さとすれば、板部材３３がボルト３９を介して下側突起把持部１５ｂと固定されるようにすることもできる。この場合には、突起部１１および上側突起把持部１５ａ等にボルト３９が貫通する貫通部を設ければよい。このようにすることで、ナット部３５にボルトを強く締め付けても、上側突起把持部１５ａが変形して固定が緩むことがない。
【００５９】
第２の実施形態にかかる固定金具３０によれば、固定金具７と同様に用いることができ、同様の効果を奏することができる。また、万が一ナット部が破損等した場合でも、上方からナット部３５（板部材３３）のみを交換可能であるため、交換作業が容易である。
【００６０】
次に、第３の実施の形態にかかる固定金具４０について説明する。図１１は、固定金具４０を示す斜視図である。固定金具４０は、固定金具７に対し、さらにフック４３が設けられる点で異なる。
【００６１】
連結部１７には、フック係止部４１が形成される。フック係止部４１は、連結部４１の外方に膨出するように形成され、フック４３が回動可能に取り付けられる部位である。フック４３は、先端が略垂直に折曲げられた、例えば金属部材であり、蓋５を係止可能である。すなわち、フック４３をフック係止部４１より略鉛直に向けて位置すると、フック４３の先端は、蓋５を上方から押さえるよう配置される。
【００６２】
例えば、蓋５の固定金具４０に対応する位置にバックル溝１４（図１、図２）を設けておくことで、固定金具４０を突起部１１に取り付けた状態で、蓋５を閉じ、フック４３を上方に回動させることにより、フック４３の先端がバックル溝４１に嵌り、蓋５を確実に固定することができる。
【００６３】
第３の実施形態に係る固定金具４０によれば、固定金具７と同様の効果を得ることができる。また、トラフ３周囲に隙間がない場合には、ナット部１９を用いて蓋５を固定し、周囲に隙間が存在する部位では、ケーブルを敷設後に、フック４３により蓋５を固定することができる。すなわち、一つの固定金具であらゆる設置場所のトラフに対しても適用可能である。なお、周囲にコンクリート等を打設する部位では、フック４３を予め外してから固定金具４０をトラフへ取り付けてもよく、フック４３ごとコンクリートで埋設してもよい。
【００６４】
また、トラフ３の周囲に砂利等を充填するような場合においては、フック４３により蓋５を固定した後、トラフ３の周囲に砂利等を充填すれば良い。蓋５をあける場合には、フック４３の回転可動範囲について、周囲の砂利の一部を撤去する必要があるが、より確実に蓋５を固定することができる。尚、特にセキュリティを重視する場合は、ボルトとナットによる蓋の固定とフックによる蓋の固定の両方を行なうことができる。尚、特に、セキュリティを重視する場合には、ボルトとナットによる蓋の固定とフックによる蓋の固定の両者を行なう。
【００６５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６６】
たとえば、図３等に示した固定金具7のナット部１９として、袋ナットでなく通常のナットを用いてもよい。図１２は、通常のナット（貫通ナット）１９ａが設けられた固定金具７ａを示す図で、図１２（ａ）は平面図、図１２（ｂ）は図１２（ａ）のＦ−Ｆ線断面図である。固定金具７ａも固定金具７と同様に用いることができる。なお、ナット部１９ａに弾性材料からなるキャップを被せるか、あるいは粘度の高いグリースをナットに塗ることにより、コンクリート打設時のコンクリートの侵入を防止することもできる。
【００６７】
また、ナット部１９ａ（１９）を上側突起把持部１５ａの上面および下側突起把持部１５ｂの下面のそれぞれに設けた固定金具７ｂを用いることもできる。図１３は、上下にナット部１９ａが設けられた固定金具７ｂを示す図で、図１３（ａ）は平面図、図１３（ｂ）は図１３（ａ）のＧ−Ｇ線断面図である。固定金具７ｂも固定金具７と同様に用いることができる。なお、下方のナット部１９ａには、袋ナットであるナット部１９を適用してもよい。
【００６８】
また、ナット部を上側突起把持部１５ａおよび下側突起把持部１５ｂに直接形成した固定金具７ｃを用いることもできる。図１４は、上側突起把持部１５ａおよび下側突起把持部１５ｂに雌ねじ部を設けてナット部１９ｂを形成した固定金具７ｃを示す図で、図１４（ａ）は平面図、図１４（ｂ）は図１４（ａ）のＨ−Ｈ線断面図である。ナット部１９ｂは、上側突起把持部１５ａおよび下側突起把持部１５ｂに形成された雌ねじ部であり、使用されるボルト９（図１等）と螺合可能である。固定金具７ｃも固定金具７と同様に用いることができる。なお、ナット部１９ｂを上側突起把持部１５ａと下側突起把持部１５ｂのいずれか一方のみに形成してもよい。
【００６９】
また、下側突起把持部１５ｂにナット部１９ａを設け、上側突起把持部１５ａには、ナット部３５が固定された板部材３３を設けた固定金具７ｄを用いることもできる。図１５は、下側突起把持部１５ｂにナット部１９ａを設け、上側突起把持部１５ａ上に板部材３３をボルト３９で接合した固定金具７ｄを示す図で、図１５（ａ）は平面図、図１５（ｂ）は図１５（ａ）のＩ−Ｉ線断面図である。板部材３３等の固定方法は、図８と同様である。また、板部材３３、上側突起把持部１５ａおよび下側突起把持部１５ｂには、ボルトが貫通可能な孔が形成される。固定金具７ｄも固定金具７と同様に用いることができる。尚、図１３〜図１５に示すように、上側突起把持部１５ａと下側突起把持部１５ｂの両者にナット部または雌ねじ部をともに設ける場合においては、２つのナット部または雌ネジ部ともに貫通するようにボルトを挿通しても良いし、使用するボルトとして短いものを用いて、蓋に近い上側突起把持部１５ａに形成したナット部または雌ねじ部のみをボルトで固定することができる。
【００７０】
なお、下側突起把持部１５ｂに形成されたナット部１９ａに代えて、袋ナットであるナット部１９を用いてもよく、または、直接雌ねじ部を形成したナット部１９ｂを適用してもよい。
【００７１】
固定金具７ｄによれば、あらかじめ上側突起把持部１５ａに板部材３３の着脱が可能な雌ねじ部３１を設けておき、トラフの設置時には、板部材３３を取り外した状態で、下側突起把持部１５ｂのみでボルト９を固定しておき、万が一、下側突起把持部１５ｂのナット部１９ａが破損等した場合に、ナット部３５とボルト孔３７を有する板部材３３を固定金具に取り付けることで、蓋５の固定構造を補修することもできる。
【００７２】
なお、各種のナット部の配置等を説明したが、最も望ましい構造は、少なくとも下側突起把持部１５ｂ側にナット部が形成された構造であることは言うまでもない。下側突起把持部１５ｂ側にナット部が形成されれば、上方からボルト９を締めこんだ際、ボルトの締めこみに伴い、下側突起把持部１５ｂが上方（突起部側）に強く押し付けられ、固定金具の突起部への把持力が強まるためである。
【００７３】
また、ボルトの頭部形状を丸型として、蓋５のボルト孔１３にボルト頭部が埋没できるような形状とすることにより、ボルト９は、ボルト頭部の工具嵌合部に工具を嵌合させなければ、回転させることができない。
【００７４】
図１６は、ボルトの頭部の工具嵌合部の形状を示す図である。図１６（ａ）に示すように、通常の六角形の工具嵌合部１０を有するボルト９を用いれば、従来の六角レンチを用いてボルト９を回転させることができる。
【００７５】
一方、図１６（ｂ）に示す様に、五角形の工具嵌合部１０ａを有するボルト９ａを用いてもよく、または、図１６（ｃ）に示す様に、星型の工具嵌合部１０ｂを有するボルト９ｂを用いてもよい。工具嵌合部の形状を六角形や通常のプラスまたはマイナス等の形状ではなく特殊な形状とすることで、工具嵌合部に対応する、例えば、五角形等専用工具が必要となる。このようにすることで、専用工具を用いないと、蓋を固定できないばかりでなく、蓋をいたずらなどで外すことを防止できるので、更に好ましい。なお、工具嵌合部の形状は、図１６に示す例に限られない。
以上のような固定構造を用いれば、トラフを敷設する際にほとんど場所を取らないので、トラフを近接して複数列配置するか、あるいは密接して複数列配置するなどの敷設が可能になる。
【符号の説明】
【００７６】
１………トラフと蓋との固定構造
３………トラフ
３ａ………底部
３ｂ………側壁部
５………蓋
７、７ａ、７ｂ、７ｃ、７ｄ、３０、４０………固定金具
９………ボルト
１０、１０ａ、１０ｂ………工具嵌合部
１１………突起部
１３………ボルト孔
１４………バックル溝
１５ａ………上側突起把持部
１５ｂ………下側突起把持部
１７………連結部
１９、１９ａ、１９ｂ………ナット部
２１………位置決め突起
２３………切欠き
２５………ボルト貫通部
２７………溝（窪み）
２９………コンクリート
３１………雌ねじ部
３２………凹部
３３………板部材
３４………凹部
３５………ナット部
３７………ボルト孔
３９………ボルト
４１………フック係止部
４３………フック
５０………補強リブ
【図１】
2011104863.tif 000003
【図２】
2011104863.tif 000004
【図３】
2011104863.tif 000005
【図４】
2011104863.tif 000006
【図５】
2011104863.tif 000007
【図６】
2011104863.tif 000008
【図７】
2011104863.tif 000009
【図８】
2011104863.tif 000010
【図９】
2011104863.tif 000011
【図１０】
2011104863.tif 000012
【図１１】
2011104863.tif 000013
【図１２】
2011104863.tif 000014
【図１３】
2011104863.tif 000015
【図１４】
2011104863.tif 000016
【図１５】
2011104863.tif 000017
【図１６】
2011104863.tif 000018
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
底部と、前記底部の両側部に設けられた側壁部とを有するトラフと、前記トラフの上部開口に被せられる蓋との固定金具を用いた固定構造であって、
前記トラフの上端近傍の前記側壁部の外方には、両側方に突起部が形成され、
前記突起部には、ボルト貫通孔が形成され、
前記固定金具は、前記突起部を上下から把持するための上下の突起把持部と、上下の前記突起把持部を連結する連結部とを有し、
下側の前記突起把持部の下面側に袋ナットが固定されており、
前記固定金具の上側または下側の前記突起把持部の少なくともいずれかの内面には、内面側に突出する位置決め突起が形成されており、
前記トラフの前記突起部には、前記固定金具の前記位置決め突起に対応する位置に溝が設けられ、
前記溝に前記位置決め突起が挿入され、上下の前記突起把持部により前記突起部を把持するように両側方からトラフに固定金具が取り付けられ、
前記蓋を閉じた状態で、前記蓋の上方から前記蓋を貫通してボルトが設けられ、前記ボルトを前記袋ナットへ固定することにより前記蓋が前記トラフに固定されることを特徴とするトラフと蓋との固定構造。
【請求項２】
底部と、前記底部の両側部に設けられた側壁部とを有するトラフと、前記トラフの上部開口に被せられる蓋との固定金具を用いた固定構造であって、
前記トラフの上端近傍の前記側壁部の外方には、両側方に突起部が形成され、
前記固定金具は、前記突起部を上下から把持するための上下の突起把持部と、上下の前記突起把持部を連結する連結部とを有し、
上側の前記突起把持部にはナット部が設けられており、
前記固定金具の上側または下側の前記突起把持部の少なくともいずれかの内面には、内面側に突出する位置決め突起が形成されており、
前記トラフの前記突起部には、前記固定金具の前記位置決め突起に対応する位置に溝が設けられ、
前記溝に前記位置決め突起が挿入され、上下の前記突起把持部により前記突起部を把持するように両側方からトラフに固定金具が取り付けられ、
前記蓋を閉じた状態で、前記蓋の上方から前記蓋を貫通してボルトが設けられ、前記ボルトを前記ナット部へ固定することにより前記蓋が前記トラフに固定され、
前記突起部の上面における前記ボルトに対応する位置に、前記ボルトとの干渉を避けるための凹部が形成されることを特徴とするトラフと蓋との固定構造。
【請求項３】
前記蓋を閉めた状態の前記トラフ上面が周囲の地面高さと略一致するように、前記トラフが地面に埋設されることを特徴とする請求項１または請求項２に記載のトラフと蓋との固定構造。
【請求項４】
前記ナット部は、上側の前記突起把持部に形成された雌ねじ部であることを特徴とする請求項２記載のトラフと蓋との固定構造。
【請求項５】
前記ナット部は板部材に接合されており、前記ナット部が接合された前記板部材がボルトによって上側の前記突起把持部に取り付けられることを特徴とする請求項２記載のトラフと蓋との固定構造。
【請求項６】
前記連結部には前記蓋を外方から係止可能なフックが形成されることを特徴とする請求項１から請求項５のいずれかに記載のトラフと蓋との固定構造。
【請求項７】
底部と、前記底部の両側部に設けられた側壁部とを有するトラフと、前記トラフの上部開口に被せられる蓋との固定金具を用いた固定方法であって、
前記トラフの上端近傍の前記側壁部の外方には、両側方に突起部が形成され、
前記突起部には、ボルト貫通孔が形成され、
前記固定金具は、前記突起部を上下から把持するための上下の突起把持部と、上下の前記突起把持部を連結する連結部と、下側の前記突起把持部の下面側に設けられた袋ナットとを有し、
前記固定金具の上側または下側の前記突起把持部の少なくともいずれかの内面には、内面側に突出する位置決め突起が形成されており、前記トラフの前記突起部の、前記位置決め突起に対応する部位には、前記固定金具の取り付け方向に溝が形成されており、
前記突起部の両側方から、前記固定金具を前記位置決め突起を前記溝に沿って挿入して前記固定金具をトラフの前記突起部へ取り付け、
前記トラフの外方にコンクリートを打設し、
前記蓋を閉じた状態で、前記蓋の上方から前記蓋を貫通するボルトを設け、前記ボルトを前記袋ナットへ固定することにより前記蓋を前記トラフに固定することを特徴とするトラフと蓋との固定方法。
【請求項８】
底部と、前記底部の両側部に設けられた側壁部とを有するトラフと、前記トラフの上部開口に被せられる蓋との固定金具を用いた固定方法であって、
前記トラフの上端近傍の前記側壁部の外方には、両側方に突起部が形成され、前記固定金具は、前記突起部を上下から把持するための上下の突起把持部と、上下の前記突起把持部を連結する連結部と、前記突起把持部の少なくとも一部に設けられたナット部とを有し、
前記突起部の上面における前記ナット部と螺合するボルトに対応する位置に、前記ボルトとの干渉を避けるための凹部が形成され、
前記固定金具の上側または下側の前記突起把持部の少なくともいずれかの内面には、内面側に突出する位置決め突起が形成されており、前記トラフの突起部の、前記位置決め突起に対応する部位には、前記固定金具の取り付け方向に溝が形成されており、
前記突起部の両側方から、前記固定金具を前記位置決め突起を前記溝に沿って挿入して前記固定金具をトラフの前記突起部へ取り付け、
前記トラフの外方にコンクリートを打設し、
前記蓋を閉じた状態で、前記蓋の上方から前記蓋を貫通するボルトを設け、前記ボルトを前記ナット部へ固定することにより前記蓋を前記トラフに固定することを特徴とするトラフと蓋との固定方法。
【手続補正２】
【補正対象書類名】明細書
【補正対象項目名】００１４
【補正方法】変更
【補正の内容】
【００１４】
前述した目的を達するために第１の発明は、底部と、前記底部の両側部に設けられた側壁部とを有するトラフと、前記トラフの上部開口に被せられる蓋との固定金具を用いた固定構造であって、前記トラフの上端近傍の前記側壁部の外方には、両側方に突起部が形成され、前記突起部には、ボルト貫通孔が形成され、前記固定金具は、前記突起部を上下から把持するための上下の突起把持部と、上下の前記突起把持部を連結する連結部とを有し、下側の前記突起把持部の下面側に袋ナットが固定されており、前記固定金具の上側または下側の前記突起把持部の少なくともいずれかの内面には、内面側に突出する位置決め突起が形成されており、前記トラフの前記突起部には、前記固定金具の前記位置決め突起に対応する位置に溝が設けられ、前記溝に前記位置決め突起が挿入され、上下の前記突起把持部により前記突起部を把持するように両側方からトラフに固定金具が取り付けられ、前記蓋を閉じた状態で、前記蓋の上方から前記蓋を貫通してボルトが設けられ、前記ボルトを前記袋ナットへ固定することにより前記蓋が前記トラフに固定されることを特徴とするトラフと蓋との固定構造である。
また、底部と、前記底部の両側部に設けられた側壁部とを有するトラフと、前記トラフの上部開口に被せられる蓋との固定金具を用いた固定構造であって、前記トラフの上端近傍の前記側壁部の外方には、両側方に突起部が形成され、前記固定金具は、前記突起部を上下から把持するための上下の突起把持部と、上下の前記突起把持部を連結する連結部とを有し、上側の前記突起把持部にはナット部が設けられており、前記固定金具の上側または下側の前記突起把持部の少なくともいずれかの内面には、内面側に突出する位置決め突起が形成されており、前記トラフの前記突起部には、前記固定金具の前記位置決め突起に対応する位置に溝が設けられ、前記溝に前記位置決め突起が挿入され、上下の前記突起把持部により前記突起部を把持するように両側方からトラフに固定金具が取り付けられ、前記蓋を閉じた状態で、前記蓋の上方から前記蓋を貫通してボルトが設けられ、前記ボルトを前記ナット部へ固定することにより前記蓋が前記トラフに固定され、前記突起部の上面における前記ボルトに対応する位置に、前記ボルトとの干渉を避けるための凹部が形成されることを特徴とするトラフと蓋との固定構造である。
また、前記蓋を閉めた状態の前記トラフ上面が周囲の地面高さと略一致するように、前記トラフが地面に埋設されてもよい。
【手続補正３】
【補正対象書類名】明細書
【補正対象項目名】００１５
【補正方法】変更
【補正の内容】
【００１５】
前記ナット部は、上側の前記突起把持部に形成された雌ねじ部であってもよい。
【手続補正４】
【補正対象書類名】明細書
【補正対象項目名】００２１
【補正方法】変更
【補正の内容】
【００２１】
第２の発明は、底部と、前記底部の両側部に設けられた側壁部とを有するトラフと、前記トラフの上部開口に被せられる蓋との固定金具を用いた固定方法であって、前記トラフの上端近傍の前記側壁部の外方には、両側方に突起部が形成され、前記突起部には、ボルト貫通孔が形成され、前記固定金具は、前記突起部を上下から把持するための上下の突起把持部と、上下の前記突起把持部を連結する連結部と、下側の前記突起把持部の下面側に設けられた袋ナットとを有し、前記固定金具の上側または下側の前記突起把持部の少なくともいずれかの内面には、内面側に突出する位置決め突起が形成されており、前記トラフの前記突起部の、前記位置決め突起に対応する部位には、前記固定金具の取り付け方向に溝が形成されており、前記突起部の両側方から、前記固定金具を前記位置決め突起を前記溝に沿って挿入して前記固定金具をトラフの前記突起部へ取り付け、前記トラフの外方にコンクリートを打設し、前記蓋を閉じた状態で、前記蓋の上方から前記蓋を貫通するボルトを設け、前記ボルトを前記袋ナットへ固定することにより前記蓋を前記トラフに固定することを特徴とするトラフと蓋との固定方法である。
底部と、前記底部の両側部に設けられた側壁部とを有するトラフと、前記トラフの上部開口に被せられる蓋との固定金具を用いた固定方法であって、
また、前記トラフの上端近傍の前記側壁部の外方には、両側方に突起部が形成され、前記固定金具は、前記突起部を上下から把持するための上下の突起把持部と、上下の前記突起把持部を連結する連結部と、前記突起把持部の少なくとも一部に設けられたナット部とを有し、前記突起部の上面における前記ナット部と螺合するボルトに対応する位置に、前記ボルトとの干渉を避けるための凹部が形成され、前記固定金具の上側または下側の前記突起把持部の少なくともいずれかの内面には、内面側に突出する位置決め突起が形成されており、前記トラフの突起部の、前記位置決め突起に対応する部位には、前記固定金具の取り付け方向に溝が形成されており、前記突起部の両側方から、前記固定金具を前記位置決め突起を前記溝に沿って挿入して前記固定金具をトラフの前記突起部へ取り付け、前記トラフの外方にコンクリートを打設し、前記蓋を閉じた状態で、前記蓋の上方から前記蓋を貫通するボルトを設け、前記ボルトを前記ナット部へ固定することにより前記蓋を前記トラフに固定することを特徴とするトラフと蓋との固定方法である。
【国際調査報告】
2011104863.tif 000019
2011104863.tif 000020
2011104863.tif 000021
2011104863.tif 000022